(57)【要約】【課題】撮像装置のユーザが取り得る行動を考慮した情報を提供することができるガイド装置、ガイド方法およびガイドプログラムを提供する。【解決手段】ガイド装置は、画像データの属性を判定する判定部２７２と、属性と類似する属性情報を有する関連画像データを用いて画像データに関連するガイド情報を生成するガイド情報生成部２８１と、を備える。【選択図】図１
2017211843.tif 000002
【特許請求の範囲】
【請求項１】
画像データの属性を判定する判定部と、
前記属性と類似する属性情報を有する関連画像データを用いて前記画像データに関連するガイド情報を生成するガイド情報生成部と、
を備えたことを特徴とするガイド装置。
【請求項２】
前記属性情報は、前記画像データの撮影位置および撮影日時の少なくともいずれか一方の情報を含むことを特徴とする請求項１に記載のガイド装置。
【請求項３】
前記属性情報は、前記撮影位置および前記撮影日時を含む前記画像データから作成した該画像データに含まれる被写体の行動履歴であること特徴とする請求項１に記載のガイド装置。
【請求項４】
前記属性情報は、前記画像データに写る被写体の情報をさらに含むことを特徴とする請求項２または３に記載のガイド装置。
【請求項５】
前記ガイド情報生成部は、
前記関連画像データに付随する付随情報をさらに用いて前記ガイド情報を生成することを特徴とする請求項１〜４のいずれか一項に記載のガイド装置。
【請求項６】
前記付随情報は、前記関連画像データに対応付けられた文字・記号情報を含むことを特徴とする請求項５に記載のガイド装置。
【請求項７】
前記付随情報は、前記関連画像データが複数の画像データからなる画像データ群を構成する場合、各関連画像データ間の相対的な情報および各関連画像データに対応付けられた文字・記号情報の少なくともいずれか一方を含むことを特徴とする請求項５に記載のガイド装置。
【請求項８】
複数の画像データを管理する画像管理サーバと通信ネットワークを介して通信可能に接続されてなり、
前記関連画像データの送信要求および前記属性情報を前記画像管理サーバへ送信する一方、前記画像管理サーバから前記関連画像データを受信する通信部をさらに備えたことを特徴とする請求項１〜７のいずれか一項に記載のガイド装置。
【請求項９】
画像データを表示する表示装置と通信ネットワークを介して通信可能に接続されてなり、
前記属性情報にしたがって前記関連画像データを抽出する抽出部と、
前記ガイド情報の送信要求を前記表示装置から受信する一方、前記ガイド情報生成部が生成した前記ガイド情報を前記表示装置へ送信する通信部と、
をさらに備えたことを特徴とする請求項１〜７のいずれか一項に記載のガイド装置。
【請求項１０】
前記表示装置は、被写体を撮像して前記画像データを生成する撮像部を備え、
前記通信部は、
前記表示装置から前記画像データを受信することを特徴とする請求項９に記載のガイド装置。
【請求項１１】
画像データの属性を判定する判定ステップと、
前記判定ステップで判定した属性を記憶部から読み出し、該属性と類似する属性を有する関連画像データを用いて前記画像データに関連するガイド情報を生成するガイド情報生成ステップと、
を有することを特徴とするガイド方法。
【請求項１２】
画像データの属性を判定する判定ステップと、
前記判定ステップで判定した属性を記憶部から読み出し、該属性と類似する属性を有する関連画像データを用いて前記画像データに関連するガイド情報を生成するガイド情報生成ステップと、
をガイド装置に実行させることを特徴とするガイドプログラム。
【発明の詳細な説明】
【技術分野】
【０００１】
本発明は、ガイド装置、ガイド方法およびガイドプログラムに関する。
【背景技術】
【０００２】
近年、デジタルカメラ等の撮像装置において、通信技術を用いて、外部のサーバから各種情報を取得する技術が知られている。例えば、特許文献１には、撮像装置の現在位置付近で好適な撮影場所のアドバイスをサーバから受信する技術が開示されている。より具体的には、特許文献１に記載の技術では、撮像装置が自身の位置情報をサーバに送信すると、サーバは受信した位置情報に基づいて、データベースに保持された撮影推奨情報から当該撮像装置の現在位置付近の好適な撮影場所を抽出し、抽出した撮影場所に関する情報を撮像装置に送信する。撮影場所に関する情報を受信した撮像装置は、その撮影場所を音声等によって報知する。
【先行技術文献】
【特許文献】
【０００３】
【特許文献１】特開２００５−４５３９８号公報
【発明の概要】
【発明が解決しようとする課題】
【０００４】
しかしながら、上述した技術では、撮像装置のユーザが取り得る行動を考慮したガイド情報を提供することはできなかった。
【０００５】
本発明は、上記に鑑みてなされたものであって、撮像装置のユーザが取り得る行動を考慮したガイド情報情報を提供することができるガイド装置、ガイド方法およびガイドプログラムを提供することを目的とする。
【課題を解決するための手段】
【０００６】
上述した課題を解決し、目的を達成するために、本発明に係るガイド装置は、画像データの属性を判定する判定部と、前記属性と類似する属性情報を有する関連画像データを用いて前記画像データに関連するガイド情報を生成するガイド情報生成部と、を備えたことを特徴とする。
【０００７】
本発明に係るガイド方法は、画像データの属性を判定する判定ステップと、前記判定ステップで判定した属性を記憶部から読み出し、該属性と類似する属性を有する関連画像データを用いて前記画像データに関連するガイド情報を生成するガイド情報生成ステップと、を有することを特徴とする。
【０００８】
本発明に係るガイドプログラムは、画像データの属性を判定する判定ステップと、前記判定ステップで判定した属性を記憶部から読み出し、該属性と類似する属性を有する関連画像データを用いて前記画像データに関連するガイド情報を生成するガイド情報生成ステップと、をガイド装置に実行させることを特徴とする。
【発明の効果】
【０００９】
本発明によれば、撮像装置のユーザが取り得る行動を考慮したガイド情報を提供することができる。
【図面の簡単な説明】
【００１０】
【図１】図１は、本発明の実施の形態１に係るガイド装置を備えた通信システムの機能構成を示すブロック図である。
【図２】図２は、外部サーバが管理するブログの一表示例を示す図である。
【図３】図３は、本発明の実施の形態１において撮像装置が行う処理の概要を示すフローチャートである。
【図４】図４は、本発明の実施の形態１において撮像装置が行うガイド画像表示処理の概要を示すフローチャートである。
【図５】図５は、ガイド情報生成部が生成するガイド画像の例を示す図である。
【図６】図６は、表示部における付随情報の表示例を示す図である。
【図７】図７は、本発明の実施の形態１において画像管理サーバが行う処理の概要を示すフローチャートである。
【図８】図８は、本発明の実施の形態２に係るガイド装置を備えた通信システムの機能構成を示すブロック図である。
【図９】図９は、本発明の実施の形態２において撮像装置が行うガイド画像表示処理の概要を示すフローチャートである。
【図１０】図１０は、本発明の実施の形態２において画像管理サーバが行う処理の概要を示すフローチャートである。
【発明を実施するための形態】
【００１１】
以下に、添付図面を参照して、本発明を実施するための形態（以下、「実施の形態」という）を説明する。
【００１２】
（実施の形態１）
本発明の実施の形態１では、あるユーザと同じようなプロフィール（属性）の人、またはグループが、何か行動を行うに際して、同じような行動をする場合の先例を探し、これを参照することによって、その人物、グループに、有用、有効なガイドを出すものである。そこで、上述した参照を行う前に、まず、通信システムまたはその通信システムを構成する装置が、そのユーザ像を把握する。この把握を行う際には、一人のユーザのみならず、複数のグループとしてのユーザであることもあり得る。
【００１３】
図１は、本発明の実施の形態１に係るガイド装置を備えた通信システムの機能構成を示すブロック図である。同図に示す通信システム１は、被写体を撮像して画像データを生成する撮像装置２と、通信ネットワークＮを介して撮像装置２と通信可能に接続されており、画像データを管理する画像管理サーバ３と、を備える。撮像装置２および画像管理サーバ３は、通信ネットワークＮを介して外部サーバ４と通信可能に接続されている。通信ネットワークＮは、例えばＬＡＮ（Local  Area  Network）、ＷＡＮ（Wide  Area  Network）、既存の公衆回線網等の一または複数の組み合わせによって実現されるものであり、有線、無線を問わない。
【００１４】
まず、撮像装置２の機能構成を説明する。撮像装置２は、被写体を撮像して画像データを生成する撮像部２１と、撮像装置２の位置情報を取得する位置情報取得部２２と、計時機能を有するとともに撮像部２１が撮像した日時に関する日時情報を生成する機能を有する時計部２３と、撮像装置２の操作指示信号を含む各種信号の入力を受け付ける入力部２４と、画像データを含む各種情報を表示する表示部２５と、画像管理サーバ３との間で通信を行う通信部２６と、撮像装置２の動作を制御する制御部２７と、撮像装置２の動作に関連する各種情報を記憶する記憶部２８と、を有する。撮像装置２は、本実施の形態１に係るガイド装置としての機能を具備する。
【００１５】
撮像部２１は、被写体像を結像する光学系と、該光学系が結像した被写体像を受光して光電変換を行うことによって被写体の画像データを生成するＣＣＤ（Charge  Coupled  Device）またはＣＭＯＳ（Complementary  Metal  Oxide  Semiconductor）等の撮像素子と、光学系が集光した光の入射量を制限することにより露出の調整を行う絞りと、撮像素子の状態を露光状態または遮光状態に設定するシャッタと、を有する。なお、撮像部２１は、ユーザ自身を撮像するためのインカメラを有していてもよい。撮像部２１は、近年普及している全方位カメラでもよい。また、監視カメラやパソコンのカメラのように、行動監視用のカメラもあり、これらの画像を適用してもよい。従って、画像信号を通信で取得すればよいので、本実施の形態１に係るガイド装置は、有線、無線通信を行って画像データを取得する画像信号取得部を備えていればよく、必ずしも撮像装置の部分を一体の構成で持つ必要はない。
【００１６】
位置情報取得部２２は、地上の物体の位置を測定するＧＰＳ（Global  Positioning  System）を構成する複数のＧＰＳ衛星から送信されてくる情報を受信し、この受信した情報に基づいて撮像装置２の現在位置（撮影位置）を示す緯度および経度の情報（以下、撮影位置情報という）を取得する。なお、撮影位置情報の取得方法はこの技術に限定されるものではなく、例えば各種衛星を使った位置測定方法を利用してもよいし、無線基地局等からの情報を用いた位置測定方法を利用してもよい。また、位置情報取得部２２が取得する撮影位置情報は、加速度センサや地磁気センサや地図情報等に基づいて、特定の位置からの移動を検出して得られる相対的な位置情報であってもよい。また、撮像装置２を顕微鏡に応用する場合には、標本を載置するステージの移動に基づいて位置情報を取得してもよい。また、撮像装置２が医療用内視鏡等である場合には、磁界を発生させて位置情報を取得してもよいし、内視鏡の臓器内での移動距離等を用いて位置情報を取得してもよい。さらには、撮影画像の履歴から、観察部位の変化を分析して位置判定してもよい。この場合、実験室のパソコンに設けられたカメラや、手術室を監視するカメラによって得られた画像情報を取得してユーザのプロフィールを判定してもよい。
【００１７】
入力部２４は、表示部２５の画面上に重ねて設けられ、外部からの物体の接触を検知して信号の入力を受け付けるタッチパネル、静止画撮影を指示するレリーズ指示信号の入力を受け付けるレリーズスイッチ、動画撮影の開始および終了を指示する動画スイッチ、ならびに電源のオンオフの入力を受け付ける電源スイッチ等を含む。入力部２４は、撮影や電源のオンオフに関する指示入力の他、撮影モード、ガイドモード、および再生モード等の各種モードの設定指示信号の入力等を受け付ける。
【００１８】
表示部２５は、液晶または有機ＥＬ（Electro  Luminescence）等からなる表示パネルを用いて構成される。なお、表示部２５がウェアラブル表示装置のような別体の構成を有していてもよい。この場合には、表示部２５に無線転送された画像をユーザが確認する。
【００１９】
制御部２７は、判定部２７１と、ガイド情報生成部２７２と、を有する。制御部２７は、ＣＰＵ（Central  Processing  Unit）等の汎用プロセッサを用いて構成される。
【００２０】
判定部２７１は、撮像装置２が撮影した画像の属性を判定する。画像の属性とは、例えば判定対象である画像の撮影位置情報および撮影日時情報の少なくともいずれか一方からなる撮影情報を含んでおり、その画像に写っている被写体の情報をさらに含んでいてもよい。判定部２７１は、被写体の情報として、例えば画像に写っている人の顔を検出し、その顔が有する髪の毛の色や形状、顔表面のしわの数、顔の表情等の情報を抽出することにより、その顔の特性情報を検出する。ここでいう顔の特性情報とは、例えば年齢、性別、疲労度等の情報である。判定部２７１は、位置情報取得部２２が取得した撮影位置情報を用いて撮像装置２の所定期間（例えば日付が変わってからの期間）の移動距離を算出し、算出した移動距離の情報を加えて疲労度を検出してもよい。また、撮像装置２にユーザの歩数を計測するような加速度センサを具備させれば、判定部２７１がその歩数の情報を加えて疲労度を検出することも可能である。なお、判定部２７１が、人以外の動物や置物等の被写体の顔およびその特性情報をさらに検出するようにしてもよい。また、撮像部２１がインカメラを有する場合には、判定部２７１がユーザ自身の顔およびその特性情報を検出するようにしてもよい。こうした情報は、端末にあらかじめ設定した内容でもよいが、その撮影場所や撮影時のシチュエーションを表す画像や音声などを取得して利用または併用してもよい。音声では言語が分かり、その人の生活する文化圏や人種や習慣などを判定するのにも役立つ。さらに、複数の人物がグループとして行動する時などには、画像、音声から、その人数や年齢や性別の構成などを判定できるが、発言の内容から、誰がリーダーであるかなども判定可能である。あるいは、ハンディキャップがある人やペット同伴などを判定すれば、それらを考慮した、その状況特有の情報取得が可能となる。服装や持っている道具などを画像判定してさらに詳細な状況を判定してもよい。こうして得られた情報を総称して、ここでは「属性」とか「プロフィール」という言葉を当てているが、より広義なもので、「ユーザの状況」と言い換えてもよい。
【００２１】
本実施の形態１では、同じような行動をする場合の先例を探して、これを参照することによって、その時、機会にふさわしい有効なガイドを出すものであるから、ユーザと同じような属性（この場合、その状況下でやりたい事も含む）の人を探すのに、ソーシャルメディア等、通信回線を利用して簡単に検索できる媒体上に掲載した、その人の撮影した写真、あるいはその人が写っている画像、その他を利用する。つまり、掲載した画像や写真から、その人の生活、趣味、嗜好などを推定し、ユーザに似た行動パターンを抽出し、それを参考にしようとしている。なお、画像のみならず、テキスト等から、その他、性別、年代、住んでいる場所などを画像を判定して、参考にしてもよい。
【００２２】
ガイド情報生成部２７２は、判定部２７１が判定した属性を記憶部２８から読み出し、該属性と類似する属性を有する関連画像データを用いてガイド情報を生成する。本実施の形態１において、関連画像データは画像管理サーバ３によって抽出され、撮像装置２に送信されてくる。本実施の形態１は、ある人物、またはグループと同じようなプロフィール（属性）の人が、同じような行動をする場合の先例を探して、これを参照することによって、その人物に有効なガイドを出すものである。ここで、属性が類似しているとは、まず、同じような体験をすでにした、自分と同じような年齢、性別、経験値（ベテランか初心者かなど）を持つ人が、すでに同じような経験を、すでにソーシャルメディアなどで発表しているかを探して参照する時の技術について説明する。例えば、登山であれば、どこまでどう登って、どこから観た光景が美しいかなどが参考になると、踏破する際の苦痛が減り安心感が出る。したがって、自分の属性に類似した人と、これから登る山に関する検索が出来れば良い。つまり、自然言語検索に置き換えてもよく、まず、自分の属性を、顔画像や声等の特徴判定から「３０代女性」とし、装束などから「登山」と判定、位置情報を利用して「高尾山」などと類推して、インターネット検索した情報を取得すればよい。属性に被写体の情報が含まれる場合には、２つの画像データにおける被写体の少なくとも一部の構成が類似していることを意味する。つまり、ネット上にある画像と、ユーザの画像を直接比較してもよい。テキスト検索ではなく、画像の類似度判定を使った検索でもよい。ここでいう被写体の構成とは、例えば被写体の種類や形状である。また、被写体が人やその他の動物を含む場合の被写体の構成は、例えば被写体の顔、その顔の特性情報、被写体の人数、および年齢構成等である。グループの場合は、「家族連れ（小学生２人）」、「登山」、「大山」といったものと判定して、類似体験した先人の情報を検索して、例えば、最も画像やテキストの多いものをチェック出来ればよい。
【００２３】
判定部２７１が属性を判定する際には、以下のような「優先要素」を考慮、または重視してもよい。例えば、「赤ちゃん」や「ハンディキャップのある人」や「ペット」、さらには、そういうメンバー等を含み、かつ、介助者が少ないような状況では、自由な行動に困難がある場合があり、こうした制約要素メンバーの影響が大きく、「属性」判定時に重要な考慮点となる。「属性」は、そのメンバー構成によって、どんどん複雑になりうるが、近年、こうした状況に対しても、ビッグデータとして「先人コンテンツ」の蓄積環境は整ってきており、これをデータベース化すれば、こうした判断の応用例は容易に実施することができる。「優先要素」は、そのグループが最も気に懸けるメンバーと考えてもよい。この「気に懸ける」とは、健康面、体力面および／または精神面の影響を最も気に懸けることであったり、当人に喜んでもらえるかを最も気に懸けることであったりする。ガイド情報は、そのような気に懸けられるメンバーに対して比較的少ない体力的および／または精神的負担で、比較的大きな満足感を感じてもらえるような内容を提示するものであることが望ましい。人間には、「健康面、体力面、精神面」の負担が多少あっても、「喜び、うれしさ」でカバーされる要素もある。このような要素は、ビッグデータの解析によって費用対効果を最大限化して実現することが可能である。さらには、判定部２７１は、ユーザ、グループまたはグループ構成メンバーのプロフィール解析などに応じて、金銭的な負担などを「属性」として考慮した判定を行うようにしてもよい。この場合、判定部２７１は、彼らの持ち物や過去の消費パターンに基づいて、どのくらいの出費なら、費用対効果を最大限化できるかを判定する。なお、「優先要素」や「属性」は、費用対効果を最大限化できるガイドを出す時の、対象とするユーザ、グループまたはグループ構成メンバーのプロフィールであって、「個人」に限るものではない。このように、「属性」は、「自分」とか、「ユーザ」以外にも、画像ファイルや撮像タイミングのセンサデータ等から得られる位置情報や時刻情報、画像ファイル内の画像データの被写体像から判定可能なユーザのグループ像の情報等を含む。さらに、「属性」は、行動の意図や目的、種別など、持ち物や背景などからを読み取って得られる情報でもよい。
【００２４】
さらに、判定部２７１が属性を判定する際には、季節情報や出発時刻情報などが参考になる。「属性」の一つに、時計情報などから、「紅葉時期」と入れてもよい。もちろん、テキスト検索に限る必要はなく、細かくテキストに置き換えるのが大変である子供の年齢や性別構成なども有効に利用可能である。これによって、どこで休憩すればよいかや、撮影スポットや、さらには、そのときの推奨構図などが読み取れるコンテンツを参照することが出来る。特に、登山や旅行、作業の途中では、細かいテキスト情報での検索を行う時間がなかったり検索をすること自体が困難な場合がある。このような場合、観察していた画像や取得した音声などから、装置、システムが情報を検索して提示すれば、ユーザにとっての利便性が飛躍的に向上する。
【００２５】
記憶部２８は、各種画像データを記憶する画像データ記憶部２８１と、撮像装置２の各種動作を実行するための各種プログラム（本実施の形態１に係るガイドプログラムを含む）を記憶するプログラム記憶部２８２とを有する。記憶部２８は、ＲＡＭ（Random  Access  Memory）等の揮発性メモリおよびＲＯＭ（Read  Only  Memory）等の不揮発性メモリを用いて構成される。
【００２６】
ここまで、撮像装置２は一体であるものとして説明してきたが、例えばレンズ型カメラをスマートフォン等の情報端末と無線で通信可能に接続することによって撮像装置２と同様の機能を実現することも可能である。この場合、スマートフォンは少なくとも入力部２４および表示部２５を有し、レンズ型カメラとの間でＷｉ−Ｆｉ（登録商標）等による無線通信を行うことによって画像データを受信する。なお、スマートフォンに対して判定部２７１およびガイド情報生成部２７２の機能を有するアプリを通信ネットワークＮ経由で外部のサーバからダウンロードすることにより、それらの機能を具備させることも可能である。さらには、パーソナルコンピュータ内蔵のカメラ、監視カメラ、ウェアラブル端末、携帯端末等で撮影された画像を使って得た情報で、別の機器操作のガイドを表示するようにしてもよい。なお、撮像部と記載された部分は、撮像入力部、画像信号入力部または画像入力部と書き直してもよい。
【００２７】
次に、引き続き図１を参照して、画像管理サーバ３の機能構成を説明する。画像管理サーバ３は、通信ネットワークＮを介して撮像装置２と通信を行う通信部３１と、画像管理サーバ３の動作を制御する制御部３２と、画像管理サーバ３の動作に関連する各種情報を記憶する記憶部３３と、画像データをその撮影日時や撮影場所の情報等を含むメタデータと関連づけて記憶する画像データベース３４と、を備える。
【００２８】
制御部３２は、外部サーバ４等の外部機器から送信されてくる画像データを画像データベース３４に登録する登録部３２１と、通信部３１が撮像装置２から受信した画像データ（基準画像データ）およびその属性情報にしたがって画像データベース３４から関連する画像データ（関連画像データ）およびその付随情報を抽出する抽出部３２２と、を有する。制御部３２は、ＣＰＵ等の汎用プロセッサを用いて構成される。
【００２９】
登録部３２１は、外部サーバ４から複数の画像データからなる画像データ群を受信した場合、その画像データ群に付随する付随情報を生成して画像データベース３４へ格納する。ここでいう付随情報とは、例えば画像データ群における画像データ間の撮影位置および撮影日時の相対的な関係を示す情報（相対情報）や、各画像データに関連付けて付加された文字、数字、記号、図形、絵および模様などを含む文字・記号情報などである。付随情報として、画像データ群を生成した撮像装置の識別情報を用いてもよい。この場合、登録部３２１は、画像データ群と識別情報とを関連付けて画像データベース３４に登録する。
【００３０】
記憶部３３は、画像管理サーバ３の各種動作を実行するためのプログラムを記憶するプログラム記憶部３３１を有する。記憶部３３は、ＲＡＭ等の揮発性メモリおよびＲＯＭ等の不揮発性メモリを用いて構成される。
【００３１】
画像データベース３４は、大量の画像データを記憶することが可能な記憶容量を有する。画像データベース３４は、画像データを撮影情報および付随情報と関連付けて記憶する。さらに、画像データベース３４は、画像データを撮影した機器の識別情報を画像データと関連付けて記憶してもよい。画像データベース３４もＲＡＭやＲＯＭを用いて構成される。なお、画像データベース３４を画像管理サーバ３と別体で構成し、通信ネットワークＮを介して画像データベース３４と画像管理サーバ３を通信可能に接続してもよい。
【００３２】
外部サーバ４は、通信ネットワークＮを介して送信されてくる画像データを管理するサーバである。このような外部サーバ４として、例えば撮像装置２等の端末をユーザが操作することによって作成または更新するブログを管理するサーバを挙げることができる。外部サーバ４は、ＣＰＵ等の汎用プロセッサ、ＲＡＭおよびＲＯＭなどを用いて構成される。
【００３３】
図２は、外部サーバ４が管理するブログの一表示例を示す図である。ユーザと同じようなプロフィール（属性）の人が、同じような行動をする場合の先例を探して、これを参照して、それによって、そのユーザに有効なガイドを出すものである。ここでは、この「先例」として、ネット上で容易に検索や参照ができるブログなどを利用している。同図に示すブログ画像１０１は、カテゴリーが「山登りブログ」であり、タイトルが「○○山に登る（２０１６年５月５日）」であるブログを表示する画像である。このブログの作成者のプロフィールは、ブログ画像１０１に記載されているように、女性の会社員である。このような具体的なプロフィールが記載されていない場合には、例えば書かれている生活様式の情報（週日の通勤、帰宅時間や週末の過ごし方や食生活）や、投稿場所や画像から外部サーバ４がプロフィールを類推してもよい。また、画像管理サーバ３が居住地や価値観などを表す情報でプロフィールを判定してもよく、必ずしも性別や年齢や職業にこだわる必要はない。むしろ、後述のように山登りの参考にするには、経験者であるか否か等の情報の方が重要な情報となりうる。画像管理サーバ３がブログの履歴を解析するようにすれば、経験者であるか否か等の情報を容易に取得できる。例えば、山登りの画像や話題となるテキストが繰り返し出てくる場合には経験者であり、何年もそうした記事がない場合は、初心者同様と考えられる。このような情報は、特に「山登り」や「ダイビング」のような、装備を重視するイベントでは、そのイベントの準備や費用なども考慮して、しばしばネット上にアップして報告されることが多く、多いに参考となる。ブログ画像１０１には３つの画像１０２〜１０４が貼付されている。画像１０２の横には、撮影時刻（９：００）と、「登山道入口から出発。」というコメント（文字・記号情報）が表示されている。画像１０３の横には、撮影時刻（１０：００）と、「見晴らし台に到着。登りが急なので疲れた。」というコメントが表示されている。画像１０４の横には、撮影時刻（１１：００）と、「山頂に到着。すばらしい景色。」というコメントが表示されている。このように表示される画像の撮影時刻などを参考に、あるビューポイントから、次のビューポイントに移動に必要な時間などが、読み取ることができる。この情報が、そのときのグループの特性を反映した形で得られる点が重要である。ここでは、ブログなどのＳＮＳを参照する事を記載したが、Ｑ＆Ａサイトや、専用のガイドサイトなどを参照してよいことは言うまでもない。このようなコンテンツを、仮に「先人コンテンツ」、「先達コンテンツ」などと呼んでもよい。本実施の形態１によれば、これまで、ネットにアップされただけで誰も閲覧または取得することのなかった先人コンテンツ／先達コンテンツなどを発掘して有効に活用することができるので、ここから新しいコミュニティが出来たりする。これによって、さらに新しいグループや同好者の活動を生み出すサポートが出来、さらに同様のコンテンツが新しく生み出される素地が醸成される。その結果、通信ネットワークＮ上には、常に最新のコンテンツが掲載されることとなる。
【００３４】
図３は、撮像装置２が行う処理の概要を示すフローチャートである。撮像装置２の電源がオンである場合（ステップＳ１０１：Ｙｅｓ）、撮像装置２はステップＳ１０２へ移行する。一方、撮像装置２の電源がオンでない場合（ステップＳ１０１：Ｎｏ）、撮像装置２は処理を終了する。
【００３５】
ステップＳ１０２において、撮像装置２が撮影モードに設定されている場合（ステップＳ１０２：Ｙｅｓ）、制御部２７は、撮像部２１に撮像を開始させる（ステップＳ１０３）。撮像部２１が生成したライブビュー画像データは、画像データ記憶部２８１に一時的に記憶される。
【００３６】
続いて、制御部２７は、ライブビュー画像を表示部２５に表示させる（ステップＳ１０４）。
【００３７】
続いて、入力部２４が撮影パラメータの変更指示信号の入力を受け付けた場合（ステップＳ１０５：Ｙｅｓ）、制御部２７はその変更指示信号にしたがって撮影パラメータを変更する（ステップＳ１０６）。制御部２７が撮影パラメータの変更指示信号の入力を受け付けない場合（ステップＳ１０５：Ｎｏ）、撮像装置２は後述するステップＳ１０７に移行する。
【００３８】
ステップＳ１０６の後、入力部２４が撮影指示信号の入力を受け付けた場合（ステップＳ１０７：Ｙｅｓ）、制御部２７は撮像部２１に撮影を行わせる（ステップＳ１０８）。ステップＳ１０７で入力部２４が撮影指示信号の入力を受け付けない場合（ステップＳ１０７：Ｎｏ）、撮像装置２はステップＳ１０１に戻る。
【００３９】
ステップＳ１０８の後、制御部２７は撮影情報として位置情報取得部２２および時計部２３から撮影位置情報および撮影日時情報をそれぞれ取得し（ステップＳ１０９）、撮影した画像データに対して取得した撮影情報を付加して画像データ記憶部２８１に記憶させる（ステップＳ１１０）。画像データ記憶部２８１は、画像データと撮影情報を一つのデータとして記憶してもよいし、画像データと撮影情報を対応づけて個別のデータとして記憶してもよい。
【００４０】
続いて、撮像装置２がガイドモードに設定されている場合（ステップＳ１１１：Ｙｅｓ）、撮像装置２はガイド画像を表示する処理を行う（ステップＳ１１２）。この処理の詳細については、図４を参照して後述する。一方、ステップＳ１１１において、撮像装置２がガイドモードに設定されていない場合（ステップＳ１１１：Ｎｏ）、制御部２７はステップＳ１０８で撮影した画像を表示部２５に表示させる（ステップＳ１１３）。ステップＳ１１２またはＳ１１３の後、撮像装置２はステップＳ１０１へ戻る。
【００４１】
図４は、ステップＳ１１２のガイド画像表示処理の概要を示すフローチャートである。まず、判定部２７１は、撮影により生成された画像データ（基準画像データ）の属性を判定する（ステップＳ２０１）。この時、マイクなどを併用して、音声を取り込み、音声認識でテキストデータ化できるような情報を取得してもよく、受け答えから、誰がリーダーであるかや、ハンディキャップの有無などを判定できるようにしてもよい。
【００４２】
続いて、制御部２７は、通信部２６を介して画像管理サーバ３に自身の識別情報を含むアクセス信号を送信し、画像管理サーバ３との間で通信接続を確立した後、画像管理サーバ３へ基準画像データの関連情報として、基準画像データの属性と類似する属性を有する関連画像データの送信要求および属性情報を送信する（ステップＳ２０２）。通信接続は、通信ネットワークＮで定められた通信プロトコルにしたがって実行される。この関連画像データは、音声を含んでいても良く、画像を「グループ」、「個人」、「男女比」、「年齢構成」などで、あらかじめ決められたフォーマットに従ってテーブル参照できるような規格化を行った結果のデータであってもよい。もちろん、画像から読み取れた結果をテキスト化してもよい。さらに、時刻や季節や時間帯を反映させてもよく、週日、週末、休日などをカレンダー判定して、これも同様にテキストに変換して検索し、それに類似した状況のコンテンツが、テキストや画像で類似検索できるようにしてもよい。
【００４３】
その後、通信部２６は画像管理サーバ３から関連画像データおよびその付随情報を受信し、画像データ記憶部２８１に記憶させる（ステップＳ２０３）。
【００４４】
ステップＳ２０３の後、ガイド情報生成部２７２は、ガイド情報を生成する（ステップＳ２０４）。図５は、ガイド情報生成部２７２が生成するガイド情報としてのガイド画像の例を示す図である。同図に示すガイド画像２０１は、画像管理サーバ３により属性情報に基づいて抽出された画像データ群に対応する画像群を地図情報とともに表示している。具体的には、撮像装置２が撮影した基準画像２０２が、図２に示すブログ画像１０１に含まれる画像群（画像１０２〜１０４）と同じ山を撮影したものである場合に生成されたガイド画像である。なお、ガイド情報はガイド画像のみならず、音声を用いたものでもよい。この場合には、例えば「あと何分歩けば、頂上です。今日の気象情報から類推すれば絶景の撮影ポイントのはずです。」のように、通信ネットワークＮを介して得られる情報を音声出力してもよい。また、複数のガイド情報がある場合、どちらを選ぶかといったデータを画像管理サーバ３が管理できるようにすれば、さらに精度の高い属性判定や、類似判定、検索が可能となる。その結果、本明細書で提案した技術、サービスの利用機会が増加する。こうした嗜好の分析は、例えば、別のサーバや同じサーバが具備する人工知能の機能を併用してもよく、多くの先人コンテンツから実際のガイドに選択するのに迷う場合は、設問などを用意して、このときの回答結果などで精度を上げていくような工夫を行ってもよい。
【００４５】
図５の画像１０２〜１０４は、画像管理サーバ３によって抽出された基準画像２０２の関連画像である。この場合、画像管理サーバ３は、基準画像２０２と類似する属性を有する画像データ群として、撮影位置Ｐ１が基準画像２０２の撮影位置Ｐ０に対して所定の範囲に位置するとともに撮影時刻（９：００）が基準画像２０２の撮影時刻（８：３０であったとする）を基準として所定の期間内に含まれる画像１０２を抽出するとともに、その画像１０２が含まれるグループに属する画像１０３（撮影位置Ｐ２、撮影時刻１０：００）、および画像１０４（撮影位置Ｐ３、撮影時刻１１：００）を抽出する。ここで画像１０２〜１０４は、同じ撮影者によって同じ日に撮影された画像である。なお、図５では撮影位置Ｐ１で撮影した以後の画像が関連画像として抽出された場合を示しているが、同じ日に画像１０２よりも早い時刻に撮影された画像がある場合には、その画像も関連画像として抽出される。このようなガイド画像２０１は、例えば類似する条件下における他の人（グループ）の行動履歴を反映した表示を行うため、ユーザは今後の行程の情報（所要時間や撮影スポットに関する情報を含む）を得ることができる。
【００４６】
なお、この後にユーザが引き続き撮影を行った場合には、ガイド画像において表示する関連画像の付随情報等の情報を徐々に詳細に表示するように設定することも可能である。また、ガイド画像に表示する関連画像の数を予め設定しておき、ユーザがガイド画像の行動履歴に沿って移動するのにしたがって、時間的に後の関連画像を徐々に表示していくようにガイド画像の表示を更新してもよい。これらのような構成をとることで、例えば医療用や工業用の内視鏡のガイド画像や、顕微鏡の観察時の参考とする場合には、画像で得た年齢や人間関係などを元にして、観察または診察時に、ユーザのスキルなどを反映させながら、その後の検査工程を的確に案内していくことが可能となる。
【００４７】
ステップＳ２０４の後、制御部２７は、ガイド画像データに対応するガイド画像を表示部２５に表示させる（ステップＳ２０５）。表示部２５が表示するガイド画像は、例えば上述したガイド画像２０１である。この際、すでに通り過ぎた場所は表示しないようにしてもよい。これは、先人の行動が時刻経過ごとの画像のような形で書かれており、位置と時刻の関係から、ユーザの行動履歴と類似した部分は、コンテンツから削除して表示する等で達成が可能となる。このように、山登りの最中でも、次になすべき行動などが、先人の経験を参考に決定可能となり、せっかく登った山の撮影推奨ポイントなどを通り過ぎてしまうことがなくなる。そのためには、複数のサイトを参照して、そこに掲載されている画像を一覧表示すれば、ユーザは、その中から、自分（たち）のプロフィールや属性にしたがって、最適なものを画像や内容を見ながら選択することが出来る。なお、このようなガイド表示は、必ずしも、このタイミングで行う必要はなく、撮影前の撮像観察時や、撮影画像の再生時に行ってもよい。また、撮影直後に表示していけば、次々に次の撮影ポイントが紹介されて、その指示に従って、安全で間違いのない行動ができる。
【００４８】
この後、入力部２４が付随情報の表示指示信号の入力を受け付けた場合（ステップＳ２０６：Ｙｅｓ）、制御部２７は、表示部２５にガイド画像の付随情報を表示させる（ステップＳ２０７）。図６は、表示部２５における付随情報の表示例を示す図である。同図に示すガイド画像３０１は、画像１０３の付随情報の表示例を示している。図６に示す付随情報３０２は、ブログ画像１０１において画像１０３に関連したコメントである。付随情報の表示指示信号は、例えば表示部２５の画面上に設けられたタッチパネルを用いてユーザが画像１０３の表示領域をタッチすることによって入力される。なお、タッチ操作を、フリック、シェイク、音声認識など、様々な入力で代用することが可能である。
【００４９】
ステップＳ２０７の後、入力部２４が表示終了の指示信号の入力を受け付けた場合（ステップＳ２０８：Ｙｅｓ）、撮像装置２は、図３に示すメインルーチンに戻る。
【００５０】
ステップＳ２０７の後、入力部２４が表示終了の指示信号の入力を受け付けない場合（ステップＳ２０８：Ｎｏ）、撮像装置２は、ステップＳ２０１に戻る。
【００５１】
ステップＳ２０６において入力部２４がガイド画像の付随情報を表示する指示信号の入力を受け付けない場合（ステップＳ２０６：Ｎｏ）、撮像装置２はステップＳ２０８へ移行する。
【００５２】
再び図３を参照して、撮像装置２が撮影モードに設定されていない場合（ステップＳ１０２：Ｎｏ）を説明する。この場合において、再生モードに設定されているとき（ステップＳ１１４：Ｙｅｓ）、制御部２７は、再生候補となる画像の一覧を表示部２５に表示させる（ステップＳ１１５）。
【００５３】
続いて入力部２４が、表示部２５が表示する画像の一覧に含まれるいずれか一つの画像の選択入力を受け付けた場合（ステップＳ１１６：Ｙｅｓ）、制御部２７は、選択された画像を表示部２５に再生表示させる（ステップＳ１１７）。入力部２４が画像の選択入力を受け付けない場合（ステップＳ１１６：Ｎｏ）、撮像装置２はステップＳ１０１へ戻る。
【００５４】
ステップＳ１１７の後、入力部２４が、再生する画像の変更を指示する信号の入力を受け付けた場合（ステップＳ１１８：Ｙｅｓ）、制御部２７は変更された画像を表示部２５に再生表示させる（ステップＳ１１９）。ステップＳ１１８において入力部２４が再生画像の変更を指示する信号の入力を受け付けない場合（ステップＳ１１８：Ｎｏ）、およびステップＳ１１９の後、撮像装置２はステップＳ１０１へ戻る。
【００５５】
ステップＳ１１４において撮像装置２が再生モードに設定されていない場合（ステップＳ１１４：Ｎｏ）、撮像装置２は上述した処理とは異なる他の処理を実行する（ステップＳ１２０）。例えば、撮像装置２は、入力部２４が受け付けた操作指示信号に基づいて、撮像装置２の上記以外の各種設定を変更する処理などを行う。この後、撮像装置２はステップＳ１０１に戻る。
【００５６】
図７は、画像管理サーバ３が行う処理の概要を示すフローチャートである。このフローチャートは、ＳＮＳの運営サイトなどがサーバに実行させるプログラムの流れを示すものである。もちろん、回路で置き換えてもよい。まず、画像管理サーバ３が外部サーバ４等の外部機器から通信ネットワークＮを介して画像データを受信した場合（ステップＳ３０１：Ｙｅｓ）を説明する。この場合において、画像管理サーバ３が複数の画像データをまとめて受信したとき（ステップＳ３０２：Ｙｅｓ）、登録部３２１は画像データ群の相対情報を生成する（ステップＳ３０３）。ここでいう相対情報とは、例えば撮影順に隣接している画像データ間の相対的な情報であり、より具体的には、撮影順に隣接している画像データ間の撮影日時および撮影時刻の差に関する情報である。複数の画像やテキストがあった方が好ましいのは、ユーザや該ユーザを含むグループの行動履歴までを含めて、「先人コンテンツ」としての品質を上げるためであって、ガイド生成時の精度を上げるためである。ただし、実際には処理が煩雑となるため、そのような処理を行うユーザは多くない。そこで単純化して、一つの画像からでも判定できるようにすれば好ましい。ただし、撮影位置および撮影日時を含む画像データから行動履歴を作成することで、先人コンテンツの魅力は増すので、サービスを提供する側は、画像管理サーバ３等を用いて、情報付きの複数画像やテキストの付記をアドバイスするような表示や規定により先人コンテンツ作成を補助するようにしてもよい。複数の情報付き画像とすることで、すでに行った場所や体験した行動のガイドを削除したり、これから行くべき場所やこれから行うべき行動のガイダンスの確からしさや、魅力や精度を向上させたりすることが出来る。例えば、先人コンテンツと比べ、時間の前後関係も含めて、すでに経験した場所情報が類似している場合は、その類似部、履歴部、体験済み部に相当する情報は出力しないようにする。もちろん、プライバシー問題も加味して、時間情報がなしでももちろん、それ相応のガイド化は可能である。撮影された画像の影のでき方などから、サイト運営側のサーバが時間経過を類推してもよい。
【００５７】
この後、画像データに関連づけられた文字・記号情報がある場合（ステップＳ３０４：Ｙｅｓ）、登録部３２１はその文字・記号情報を画像データに付加する（ステップＳ３０５）。
【００５８】
続いて、登録部３２１は、受信した画像データを画像データベース３４に登録する（ステップＳ３０６）。この際、画像データに相対情報や文字・記号情報等の付随情報があるとき、登録部３２１は、画像データベースとそれらの情報とを対応付けて画像データベース３４に登録する。ステップＳ３０６の後、画像管理サーバ３は、ステップＳ３０１に戻る。
【００５９】
ステップＳ３０２において、画像管理サーバ３が画像データ群を受信していない場合（ステップＳ３０２：Ｎｏ）、画像管理サーバ３はステップＳ３０４へ移行する。
【００６０】
ステップＳ３０４において、画像データに関連付けられた文字・記号情報がない場合（ステップＳ３０４：Ｎｏ）、画像管理サーバ３はステップＳ３０６へ移行する。
【００６１】
次に、ステップＳ３０１で画像管理サーバ３が画像データを受信しない場合（ステップＳ３０１：Ｎｏ）を説明する。この場合において、画像管理サーバ３が関連画像データの送信要求および属性情報を受信したとき（ステップＳ３０７：Ｙｅｓ）、抽出部３２２は画像データベース３４を検索して関連画像データおよびその付随情報を抽出する（ステップＳ３０８）。抽出部３２２は、例えば属性情報が類似する画像データの検索を行い、検索の結果得られた画像データを関連画像データとして抽出する。この際には、同じ画像データ群の画像データを関連画像データとして一括して抽出する。つまり、属性情報は、撮影位置および撮影日時を含む画像データから作成した該画像データに含まれる被写体の行動履歴とすることにより、すでに踏破なり体験した行動や場所のガイドを削除したり、これから行くべき場所やこれから行うべき行動のガイダンスの確からしさや、魅力や精度を向上させたりすることが出来る。例えば、先人コンテンツと比べ、時間の前後関係も含めて、すでに経験した場所情報が類似である場合は、その類似部、履歴部、体験済み部に相当する情報は出力しないようにする。従って、これは、行動履歴までを含めて、ガイドの精度を上げるための措置であって、それを単純化して、一つの時刻付き画像からでも判定は可能である。
【００６２】
続いて、制御部３２は、通信部３１を介して抽出部３２２が抽出した関連画像データおよびその付随情報を撮像装置２へ送信する（ステップＳ３０９）。その後、画像管理サーバ３は、ステップＳ３０１に戻る。
【００６３】
ステップＳ３０７において、画像管理サーバ３が関連画像データの送信要求および属性情報を受信しないとき（ステップＳ３０７：Ｎｏ）、画像管理サーバ３はステップＳ３０１に戻る。
【００６４】
以上説明した本発明の実施の形態１によれば、撮影した画像データの属性と類似する属性を有する関連画像データを用いてその画像データに関連する情報を含むガイド画像データを生成するため、ユーザが取り得る行動を考慮した情報を提供することができる。
【００６５】
また、本実施の形態１によれば、画像データの撮影位置および撮影日時の少なくともいずれか一方の情報を含む属性を適用してガイド画像データを生成するため、ユーザは他の人の行動履歴を参考にすることができる。
【００６６】
また、本実施の形態１によれば、ガイド画像データには関連画像データの付随情報が含まれるため、ユーザは気になる関連画像に付随する情報を得ることができる。その結果、一段とガイド画像を有効活用することが可能となる。
【００６７】
（実施の形態２）
本発明の実施の形態２も、実施の形態１と同様、あるユーザと同じようなプロフィール（属性）の人、またはグループが、何か行動を行うに際して、同じような行動をする場合の先例を探し、これを参照することによって、その人物、グループに、有用、有効なガイドを出すものである。本実施の形態２では、画像管理サーバがガイド装置の機能を有する。
【００６８】
図８は、本発明の実施の形態２に係るガイド装置を備えた通信システムの機能構成を示すブロック図である。同図に示す通信システム５は、被写体を撮像して画像データを生成する撮像装置６と、通信ネットワークＮを介して撮像装置６と通信可能に接続され、画像データを管理する画像管理サーバ７と、を備える。撮像装置６および画像管理サーバ７は、通信ネットワークＮを介して外部サーバ４と通信可能に接続されている。なお、以下の説明において、実施の形態１と同じ機能を有する構成要素には同じ符号を付す。
【００６９】
撮像装置６は、撮像部２１、位置情報取得部２２、時計部２３、入力部２４、表示部２５、通信部２６、制御部６１および記憶部２８を有する。制御部６１は、ＣＰＵ等の汎用プロセッサを用いて構成される。撮像装置６は、本実施の形態２において画像データを表示する表示装置としての機能を有する。
【００７０】
本実施の形態２においても、例えばレンズ型カメラをスマートフォン等の情報端末と無線で通信可能に接続することによって撮像装置６と同様の機能を実現することが可能である。この場合、スマートフォンは少なくとも入力部２４および表示部２５を有し、レンズ型カメラとの間で無線通信を行うことによって画像データを受信する。この場合、スマートフォンは本実施の形態２に係る表示装置の機能を具備する。
【００７１】
画像管理サーバ７は、通信部３１、制御部７１、記憶部７２および画像データベース３４を有する。画像管理サーバ７は、本実施の形態２に係るガイド装置としての機能を具備する。
【００７２】
制御部７１は、判定部７１１と、ガイド情報生成部７１２と、登録部３２１と、抽出部３２２と、を有する。判定部７１１およびガイド情報生成部７１２は、実施の形態１で説明した判定部２７１およびガイド情報生成部２７２とそれぞれ同様の機能構成を有する。制御部７１は、ＣＰＵ等の汎用プロセッサを用いて構成される。
【００７３】
記憶部７２は、画像データ記憶部７２１と、プログラム記憶部３３１とを有する。画像データ記憶部７２１は、各種画像データを記憶する。記憶部７２は、ＲＡＭまたはＲＯＭ等を用いて構成される。
【００７４】
次に、撮像装置６が行う処理を説明する。撮像装置６が行う処理の概要は、実施の形態１で図３のフローチャートを参照して説明したのと同様であり、ガイド画像表示処理（ステップＳ１１２）のみが異なっている。以下、図９に示すフローチャートを参照して、撮像装置６が行うガイド画像表示処理の概要を説明する。
【００７５】
まず、制御部６１は、通信部２６を介して通信ネットワークＮに接続された画像管理サーバ７に自身の識別情報を含むアクセス信号を送信し、画像管理サーバ７との間で通信接続を確立した後、画像管理サーバ７へ撮影情報が付加された基準画像データとガイド画像データの送信要求とを送信する（ステップＳ４０１）。
【００７６】
その後、通信部２６が画像管理サーバ７からガイド画像データを受信し、そのガイド画像データを画像データ記憶部２８１に記憶させる（ステップＳ４０２）。
【００７７】
この後に撮像装置６が行う処理（ステップＳ４０３〜Ｓ４０６）は、図４を参照して説明したステップＳ２０５〜Ｓ２０８の処理に順次対応している。
【００７８】
図１０は、画像管理サーバ７が行う処理の概要を示すフローチャートである。このフローチャートは、実施の形態１と同様、ＳＮＳの運営サイトなどがサーバに実行させるプログラムの流れを示すものである。もちろん、回路で置き換えてもよい。通信部３１が基準画像データとガイド画像データの送信要求とを撮像装置６から受信した場合（ステップＳ５０１：Ｙｅｓ）、判定部７１１は、基準画像データの属性を判定する（ステップＳ５０２）。ステップＳ５０１で通信部が基準画像データとガイド画像データの送信要求とを撮像装置６から受信しない場合（ステップＳ５０１：Ｎｏ）、画像管理サーバ７はステップＳ５０１を繰り返す。
【００７９】
ステップＳ５０２の後、抽出部３２２は、画像データベース３４を検索して関連画像データおよびその付随情報を抽出する（ステップＳ５０３）。
【００８０】
続いて、ガイド情報生成部７１２は、抽出された関連画像データおよびその付随情報を用いてガイド画像データを生成する（ステップＳ５０４）。
【００８１】
最後に、制御部７１は、通信部３１を介して撮像装置６へガイド画像データを送信する（ステップＳ５０５）。その後、画像管理サーバ７はステップＳ５０１へ戻る。
【００８２】
以上説明した本発明の実施の形態２によれば、実施の形態１と同様に、ユーザが取り得る行動を考慮した情報を提供することができる。
【００８３】
また、本実施の形態２によれば、画像管理サーバ側でガイド画像データを生成するため、表示装置（撮像装置）は画像管理サーバと通信可能な機能を有していれば、他に特別な機能を有していなくてもよい。したがって、従来と同様の構成を有する表示装置（撮像装置）にガイド画像を表示させることが可能となる。
【００８４】
（その他の実施の形態）
ここまで、本発明を実施するための形態を説明してきたが、本発明は上述した２つの実施の形態によってのみ限定されるべきものではない。例えば、撮像装置がライブビュー表示している最中にそのライブビュー画像を基準画像として生成したガイド画像を表示するようにしてもよい。これにより、ユーザは撮影動作を行うことなく、ガイド画像を見ることができ、より簡易にユーザとその同行者を含むグループ構成に適した撮影場所の情報を得ることができる。
【００８５】
上述した実施の形態では、画像データベース３４がブログの情報をもとに構成されている場合を説明したが、これは一例に過ぎない。例えば、ブログ以外のＵＲＬ（Uniform  Resource  Locator）から取得した画像データや、ユーザが端末から画像管理サーバへ送信してきた画像データを含めて管理してもよい。
【００８６】
また、画像管理サーバは、外部サーバから複数の画像データを受信した場合、該複数の画像データの撮影情報、該複数の画像データを撮影した撮像装置の識別情報、該複数の画像データの送信元のＵＲＬ等の情報に基づいて、該複数の画像データを１つの画像データ群としてグループ化できるか否かを判定したり、該複数の画像データを所定の基準に基づいてグループ分けしたりしてもよい。
【００８７】
また、撮像装置が生成した画像データを画像管理サーバへ送信し、画像データベースに記憶させるようにしてもよい。これにより、画像データベースはより多くの画像データを記憶するため、一段ときめ細かな情報を有するガイド画像データをユーザに提供することができる。
【００８８】
また、実施の形態２で説明した表示装置（撮像装置）が抽出部の機能を有してもよい。この場合には、さらに画像データベースを表示装置（撮像装置）に具備させることにより、１つの装置で顔検出からガイド画像データの生成、表示に至る全ての処理を実行させるようにしてもよい。
【００８９】
また、画像管理サーバは、定期的に外部サーバを検索し、その外部サーバにおいて更新された情報を取得して画像データベースへ登録するようにしてもよい。
【００９０】
また、上述したガイド装置は、例えば医療用および工業用の内視鏡のように、ガイドを必要とする装置全般とすることも可能である。この場合には、ガイド装置の機能をプロセッサ側に具備させればよい。また、上述したガイド装置を、顕微鏡を含む測定用観察機器に適用することも可能である。この場合、ガイド装置は、これらの機器の撮像時のガイドとして、撮像結果を表示する部分等にガイド表示を行う。また、ガイド装置にユーザを撮像する第２の撮像部を具備させることにより、ユーザの職業や年齢による経験値推測、個人特定等に従った個人の技能やキャリア判定を行い、その判定結果に基づいて装置の利用シーンを推定することによってガイド情報を表示してもよい。なお、ガイド情報は音声を含んでいても音声単独でもよい。
【００９１】
医療用の内視鏡が体内画像を撮影する場合には、体内画像に関するガイド情報を出力することも可能である。この場合は、内臓や組織ごとの位置情報を反映してガイド情報を生成すればよい。
【００９２】
顕微鏡等が細胞や微生物などの被写体を撮影する場合には、その被写体をさらに拡大して観察する必要性や、観察領域変更の必要性などの情報をガイド情報として画像や文字等の情報で出力すればよい。
【００９３】
また、ガイド装置を、ガイドの結果のフィードバックを学習して精度をアップしたり深層学習を行ったりする等、人工知能の働きと連携させることも可能である。ガイド装置がガイド情報を出す状況判定を行う際に用いる「属性」には、ガイド情報が推奨する行為の費用対効果を最大限化できるように、「自分」、「ユーザ」、「グループ」以外にも、画像ファイルや撮像タイミングのセンサデータ等から得られる位置情報や時刻情報、画像ファイル内の画像データの被写体像から判定可能なユーザのグループ像の情報、行動する意図や目的、種別などを読み取って得られる情報持ち物や背景などの情報等が含まれている。そして、判定部は、ガイドしたい状況の「属性」を元に、類似属性を有する先人コンテンツを検索する。検索の結果、複数のガイド情報を表示する場合、複数のガイド情報の中から選択すれば、さらに詳細情報が表示されるような工夫をしたり、ガイド後のユーザの行動をモニタしたりして、どのような行動を実際に選択したかによって、どのガイド表示がどのシーンで、そのユーザに有効であったかを判定することが出来る。これを学習して、さらに精度のよい有効なガイド情報を提供することが可能となる。同じような状況で、必ずしも同じガイド情報が出ればユーザに喜ばれるとは限らず、様々なセンサ情報を駆使して状況判定や履歴解析をさらに詳細に行うといった手法は、人工知能の得意とするところである。この場合、類似プロフィールのグループの行動、ブログやＳＮＳ等に大量に記載された先人コンテンツをビッグデータ化した結果などを参照することによってガイド情報を生成すればユーザの利便性を一段と向上させることができる。
【００９４】
本明細書におけるフローチャートの説明では、「まず」、「その後」、「続いて」等の表現を用いてステップ間の処理の前後関係を明示していたが、上述した実施の形態を実施するために必要な処理の順序は、それらの表現によって一意的に定められるわけではない。すなわち、本明細書で記載したフローチャートにおける処理の順序は、矛盾のない範囲で変更することができる。
【００９５】
また、本明細書においてフローチャートを用いて説明した処理のアルゴリズムは、プログラムとして記述することが可能である。このようなプログラムは、コンピュータ内部の記憶部が記憶してもよいし、コンピュータ読み取り可能な記録媒体に記録してもよい。プログラムの記憶部または記録媒体への記録は、コンピュータまたは記録媒体を製品として出荷する際に行ってもよいし、通信ネットワークを介したダウンロードにより行ってもよい。
【００９６】
このように、本発明は、ここでは記載していない様々な実施の形態を含みうるものであり、特許請求の範囲によって特定される技術的思想の範囲内で種々の設計変更等を行うことが可能である。
【符号の説明】
【００９７】
１、５・・・通信システム；２、６・・・撮像装置；３、７・・・画像管理サーバ；４・・・外部サーバ；２１・・・撮像部；２２・・・位置情報取得部；２３・・・時計部；２４・・・入力部；２５・・・表示部；２６、３１・・・通信部；２７、３２、６１、７１・・・制御部；２８、３３、７２・・・記憶部；３４・・・画像データベース；１０１・・・ブログ画像；１０２〜１０４・・・画像；２０１、３０１・・・ガイド画像；２０２・・・基準画像；２７１、７１１・・・判定部；２７２、７１２・・・ガイド情報生成部；２８１、７２１・・・画像データ記憶部；２８２、３３１・・・プログラム記憶部；３０２・・・付随情報；３２１・・・登録部；３２２・・・抽出部；Ｎ・・・通信ネットワーク；Ｐ０、Ｐ１〜Ｐ３・・・撮影位置
【図１】
2017211843.tif 000003
【図２】
2017211843.tif 000004
【図３】
2017211843.tif 000005
【図４】
2017211843.tif 000006
【図５】
2017211843.tif 000007
【図６】
2017211843.tif 000008
【図７】
2017211843.tif 000009
【図８】
2017211843.tif 000010
【図９】
2017211843.tif 000011
【図１０】
2017211843.tif 000012